(57)【要約】【課題】コンパクトかつ低重心で輸送性に優れ、それでいて十分な排出高さを確保することができる自走式スクリーンを提供する。【解決手段】本体フレーム７と、この本体フレーム７の長手方向一方側の上部に設けた篩装置１５と、本体フレーム７の長手方向他方側の上部に設けた動力装置１６と、篩装置１５の下方位置から動力装置１６の上方を通して、本体フレーム７の長手方向他方側外方に向かって上り傾斜となるように配設した排出コンベア３０と、本体フレーム７の長手方向ほぼ中央位置の下部に設けられ、その長手方向寸法を本体フレーム７の長手方向寸法に対して小さく形成した走行体１とを備える。【選択図】  図１
2005296893.tif 000002
【特許請求の範囲】
【請求項１】
本体フレームと、
この本体フレームの長手方向一方側の上部に設けた篩装置と、
前記本体フレームの長手方向他方側の上部に設けた動力装置と、
前記篩装置の下方位置から前記動力装置の上方を通して、前記本体フレームの長手方向他方側外方に向かって上り傾斜となるように配設した排出コンベアと、
前記本体フレームの長手方向ほぼ中央位置の下部に設けられ、その長手方向寸法を前記本体フレームの長手方向寸法に対して小さく形成した走行手段と
を備えたことを特徴とする自走式スクリーン。
【請求項２】
走行手段と、
この走行手段上に設けられ、長手方向両端部分が前記走行手段に対して前後に張り出すように形成した本体フレームと、
この本体フレームの長手方向一方側の上部に設けた篩装置と、
前記本体フレームの長手方向他方側の上部に設けた動力装置と、
前記篩装置の下方位置から前記動力装置の上方を通して、前記本体フレームの長手方向他方側外方に向かって上り傾斜となるように配設した排出コンベアと
を備えたことを特徴とする自走式スクリーン。
【請求項３】
前記本体フレームの長手方向一方側に、前記選別装置により選別される選別粒度以上の選別物を搬送し機外に排出するサイドコンベアを備え、前記排出コンベアは、前記本体フレームの幅方向の中心から一方側にずらした位置に配設されており、前記サイドコンベアは、前記排出コンベアをずらして創出した前記本体フレームの幅方向他方側のスペースに収容可能であることを特徴とする請求項１又は２に記載の自走式スクリーン。
【請求項４】
前記サイドコンベアは、前記本体フレームの長手方向一方側に取り付けた上流部と、この上流部に対して回動可能に連結した下流部とからなり、前記下流部を前記上流部に対し回動させて直線状にし、さらにこの直線状になったサイドコンベアの前記上流部部分を前記本体フレームに対し回動させて水平にすることにより、稼動状態に展開可能であることを特徴とする請求項３に記載の自走式スクリーン。
【請求項５】
前記篩装置の前記本体フレームの長手方向他方側の上方位置に、選別物を受け入れて前記篩装置に供給する供給手段を設けたことを特徴とする請求項１乃至４のいずれかに記載の自走式スクリーン。
【請求項６】
前記篩装置の前記本体フレームの長手方向他方側でかつ前記排出コンベアの上方位置に、前記排出コンベア上の選別物から磁性異物を除去する磁選機を設けたことを特徴とする請求項１乃至５のいずれかに記載の自走式スクリーン。
【請求項７】
前記排出コンベア上の位置に、前記排出コンベア上の選別物を解砕する解砕装置を設けたことを特徴とする請求項１乃至６のいずれかに記載の自走式スクリーン。
【請求項８】
前記排出コンベアに、前記排出コンベア上の選別物の搬送量を検出する検出手段を設けたことを特徴とする請求項１乃至７のいずれかに記載の自走式スクリーン。
【請求項９】
前記篩装置の傾斜角度を調整する篩角度調整手段を備えたことを特徴とする請求項１乃至８のいずれかに記載の自走式スクリーン。
【発明の詳細な説明】
【技術分野】
【０００１】
本発明は、例えば、砕石、木材チップ、土砂等といったリサイクル原料や、これらから生産されたリサイクル品等を粒度に応じて選別する自走式スクリーンに関する。
【背景技術】
【０００２】
近年、例えば土質改良機械やクラッシャ、シュレッダ等、建設発生土や岩石、或いは廃タイヤ等に代表される様々なリサイクル原料からリサイクル品を生産するリサイクル品生産機の需要が各地で高まっている。これらリサイクル品生産機の作業を補助する機械の１つに、例えばリサイクル品生産機に供給するリサイクル原料やリサイクル品生産機から排出されたリサイクル品等を被選別物とし、この被選別物を篩装置（スクリーン）で粒度に応じて選別し、篩装置を通過した選別物を排出コンベアによって搬送し排出する自走式スクリーンがある（例えば、特許文献１，２等参照）。
【０００３】
【特許文献１】特開２００２−４３３３号公報
【特許文献２】特開２０００−２２９２６６号公報
【発明の開示】
【発明が解決しようとする課題】
【０００４】
ここで、自走式スクリーンから排出される選別物は、所定の場所に集積されるか、若しくは後段に配置され得る様々なリサイクル品生産機に投入されることになるので、選別物の排出性や他の機械への投入性を確保する上では、上記排出コンベアの排出高さはなるべく高い方が好ましい。
【０００５】
特許文献１の自走式スクリーンにおいては、自力走行を可能とするために、走行体上部に設けた本体フレームの長手方向一方側に篩装置を、本体フレームの長手方向他方側に動力装置を配置してある。しかしこのような構成にあって、排出コンベアが篩装置の下方位置から動力装置の下側を通して本体フレームの長手方向他方側外方に延設されているため、上方に位置する動力装置の存在が排出コンベアの排出高さを制約する一因となる。それに対し、特許文献２の記載技術においては、動力装置を排出コンベアの下方に配設しているので、それだけ排出高さを稼ぐ上で有利な構成となっている。
【０００６】
しかしながら、排出コンベアの傾斜角度は、搬送する選別物が滑り落ちない範囲内の値でなければならないため、通常であれば、搬送する選別物とコンベアベルトとの摩擦力等に制約を受けて自ずとある程度限られた角度（例えば２０°程度）に定まってしまう。そのため、排出コンベアを動力装置の上方を通して設ける場合、排出コンベアの配設位置が上方に平行移動する形となり、重心位置が上昇する結果、機体の安定性が悪くなる恐れがある。特許文献２の記載技術のように、機体の大きさに対して大型の走行体を採用すれば安定性の問題は解消され得るが、機体の全高が増してしまい、機体のサイズによっては公道での輸送制限高さをクリアする上で極めて不利となる。
【０００７】
本発明は、上記の事柄に鑑みてなされたものであり、その目的は、コンパクトかつ低重心で輸送性に優れ、それでいて十分な排出高さを確保することができる自走式スクリーンを提供することにある。
【課題を解決するための手段】
【０００８】
上記目的を達成するために、第１の発明は、本体フレームと、この本体フレームの長手方向一方側の上部に設けた篩装置と、前記本体フレームの長手方向他方側の上部に設けた動力装置と、前記篩装置の下方位置から前記動力装置の上方を通して、前記本体フレームの長手方向他方側外方に向かって上り傾斜となるように配設した排出コンベアと、前記本体フレームの長手方向ほぼ中央位置の下部に設けられ、その長手方向寸法を前記本体フレームの長手方向寸法に対して小さく形成した走行手段とを備えたことを特徴とする。
【０００９】
第２の発明は、走行手段と、この走行手段上に設けられ、長手方向両端部分が前記走行手段に対して前後に張り出すように形成した本体フレームと、この本体フレームの長手方向一方側の上部に設けた篩装置と、前記本体フレームの長手方向他方側の上部に設けた動力装置と、前記篩装置の下方位置から前記動力装置の上方を通して、前記本体フレームの長手方向他方側外方に向かって上り傾斜となるように配設した排出コンベアとを備えたことを特徴とする。
【００１０】
第３の発明は、第１又は第２の発明において、前記本体フレームの長手方向一方側に、前記選別装置により選別される選別粒度以上の選別物を搬送し機外に排出するサイドコンベアを備え、前記排出コンベアは、前記本体フレームの幅方向の中心から一方側にずらした位置に配設されており、前記サイドコンベアは、前記排出コンベアをずらして創出した前記本体フレームの幅方向他方側のスペースに収容可能であることを特徴とする。
【００１１】
第４の発明は、第３の発明において、前記サイドコンベアは、前記本体フレームの長手方向一方側に取り付けた上流部と、この上流部に対して回動可能に連結した下流部とからなり、前記下流部を前記上流部に対し回動させて直線状にし、さらにこの直線状になったサイドコンベアの前記上流部部分を前記本体フレームに対し回動させて水平にすることにより、稼動状態に展開可能であることを特徴とする。
【００１２】
第５の発明は、第１乃至第４の発明のいずれかにおいて、前記篩装置の前記本体フレームの長手方向他方側の上方位置に、選別物を受け入れて前記篩装置に供給する供給手段を設けたことを特徴とする。
【００１３】
第６の発明は、第１乃至第５の発明のいずれかにおいて、前記篩装置の前記本体フレームの長手方向他方側でかつ前記排出コンベアの上方位置に、前記排出コンベア上の選別物から磁性異物を除去する磁選機を設けたことを特徴とする。
【００１４】
第７の発明は、第１乃至第６の発明のいずれかにおいて、前記排出コンベア上の位置に、前記排出コンベア上の選別物を解砕する解砕装置を設けたことを特徴とする。
【００１５】
第８の発明は、第１乃至第７の発明のいずれかにおいて、前記排出コンベアに、前記排出コンベア上の選別物の搬送量を検出する検出手段を設けたことを特徴とする。
【００１６】
第９の発明は、第１乃至第８の発明のいずれかにおいて、前記篩装置の傾斜角度を調整する篩角度調整手段を備えたことを特徴とする。
【発明の効果】
【００１７】
本発明によれば、排出コンベアを動力装置の上方を通して配置したことにより、選別物の排出高さを十分高くすることができる。このとき、本体フレームの長手方向ほぼ中央位置の下部に設けた走行手段の長手方向寸法を、本体フレームの長手方向寸法に対して小さく形成しているので、本体フレームの長手方向両端部は走行体に対して前後に張り出す形となる。そして、走行手段に対して前方に張り出した本体フレームの長手方向他方側に動力装置を設けたことにより、動力装置と排出コンベアとの間に空間が創出されるので、この空間の高さ分だけ排出コンベアを下方にずらし機体の重心を低下させることができる。これにより、公道での輸送制限高さをクリアし優れた輸送性を確保する上でも有利となり、かつ排出高さを向上させながらも十分な安定性を確保することができる。それに対し、走行手段に対して後方に張り出した本体フレームの長手方向一方側に篩装置を設けたことにより、機体全体の重量を十分にバランスさせることができるので、走行手段をサイズダウンすることができ、これによっても、機体重心を低下させることができ、かつコンパクト化することができる。
【発明を実施するための最良の形態】
【００１８】
以下、本発明の自走式スクリーンの一実施形態について図面を用いて説明する。
図１は本発明の自走式スクリーンの一実施形態の全体構造を表す右側側面図、図２は上面図、図３は左側側面図、図４は後側正面図、図５は前側正面図である。
なお、以下の説明において、図１中の左・右を、それぞれ本自走式スクリーンにおける後・前又は長手方向の一方側・他方側とし、図２中の下・上を、それぞれ右・左又は幅方向の一方側・他方側とする。
【００１９】
図１乃至図５において、１は走行体で、この走行体１は、トラックフレーム２と、このトラックフレーム２の一方端に設けた従動輪３と、トラックフレーム２の他方端に設けた駆動輪４と、この駆動輪４に直結した駆動装置５と、従動輪３及び駆動輪４に掛け回した履帯６とで構成されている。この走行体１は、本体フレーム７（後述）の長手方向ほぼ中央位置の下部に設けられ、その長手方向（走行方向）寸法は、本体フレーム７の長手方向寸法に対して小さく（例えば本体フレーム７の長手方向寸法の２／３程度に）形成されている。
【００２０】
本体フレーム７は、トラックフレーム２の上部に前方端が走行体１の前方に張り出すように配設されたメインフレーム８と、このメインフレーム８上に後端部が走行体１の後方に張り出すように配設された取付フレーム９とで構成されている。取付フレーム９は、メインフレーム８上に固定された下フレーム１０と、この下フレーム１０上に立設した支持ポスト１１と、支持ポスト１１上に略水平に設けた上フレーム１２とで構成されている。また、本体フレーム７の長手方向一方側の上部には篩装置１５が、長手方向他方側の上部には動力装置１６が、それぞれ設けられている。
【００２１】
上記篩装置１５は、投入される被選別物を粒度に応じて選別するもので、内部に所定の目の大きさの格子１７を備えており、取付フレーム９の上フレーム１２上に支持部材１８及びばね１９を介して振動可能に支持され、その長手方向中心位置はほぼ走行体１の後端の上方に位置している。２０はこの篩装置１５を加振する駆動装置であり、この駆動装置２０によって篩装置１５を振動させることにより、投入された被選別物のうち、格子１７の目の大きさよりも大きな選別物が除去され、小さな選別物が下方へ導かれるようになっている。
【００２２】
２１はホッパで、このホッパ２１は、篩装置１５の格子１７を通過した所定粒度以下の選別物を、下方の排出コンベア３０（詳細は後述）上に導く役割を果たす。そのため、このホッパ２１は、篩装置１５と排出コンベア３０との間に位置するように取付フレーム９に支持されており、篩装置１５を通過した選別物を確実に受け入れて排出コンベア３０上に導くように、上方に向かって拡開する概略枠型に形成されている。
【００２３】
上記動力装置１６は、本体フレーム７の長手方向他方側端部に支持部材２２を介して支持されている。繁雑防止のため特に図示していないが、この動力装置１６には、本自走式スクリーンの駆動源であるエンジンや、このエンジンにより駆動される少なくとも１つの油圧ポンプ、この油圧ポンプから各駆動装置に供給される圧油を制御する複数のコントロールバルブ等が内蔵されている。また、動力装置１６における本体フレーム７の長手方向一方側上部は、排出コンベア３０から退避するように円弧状に形成されており、そして、この円弧状に形成した部分、すなわち円弧面２３が排出コンベア３０に近接するように配設されている。言い換えれば、排出コンベア３０は、この動力装置１６の円弧面２３に近接するように配設されている。
【００２４】
２５はこの動力装置１６における本体フレーム７の幅方向他方側の区画に設けた運転席で、この運転席２５には、図２、図３、図５等に示すように、走行操作を行うための走行操作レバー２６が設けられている。２７は排出コンベア３０やサイドコンベア６０（詳細は後述）の操作を行う操作レバー、２８はその他の駆動装置類（後述）を操作したり各種運転設定を行ったりするための操作盤で、これら操作レバー２７、操作盤２８は、それぞれ本自走式スクリーンにおける本体フレーム７の幅方向他方側であって運転席２５の前方側の位置に設けられており、操作者が運転席２５に上がらずに地上から操作できるように配慮されている。
【００２５】
上記排出コンベア３０は、篩装置１５の下方位置、すなわちホッパ２１の下方位置から、動力装置１６の上方を通して本体フレーム７の長手方向他方側外方に向かって上り傾斜となるように設けられている。この排出コンベア３０の搬送方向中間部は、支持部材３１を介し、動力装置１６における本体フレーム７の長手方向他方側に突出した突出部３２に支持されている。また、それよりも搬送方向上流側部分は、支持部材３３を介し、本体フレーム７の長手方向ほぼ中央部上に支持されている。
【００２６】
３５は排出コンベア３０のコンベアフレームで、このコンベアフレーム３５の前後両端には、それぞれ駆動輪３６、従動輪３７が回転自在に設けられている。３８はこれら駆動輪３６及び従動輪３７に掛け回したコンベアベルト、３９は駆動輪３６に連結した駆動装置３９で、この駆動装置３９によって駆動輪３６を回転させることにより、駆動輪３６及び従動輪３７間でコンベアベルト３８が循環駆動する。４０は循環駆動するコンベアベルト３８の搬送面（上側の面）を支持する支持ローラである。なお、特に説明しないが、この排出コンベア３０の従動輪３７側には、公知のベルト張り調整機構が設けられている。
【００２７】
図６は、排出コンベア３０の詳細構造を表す拡大側面図で、図中、先の各図と同様の部分には同符号を付し説明を省略する。
この図６に示すように、コンベアフレーム３５は、搬送方向における上流部４５のフレームをなす上流側フレーム４６と、搬送方向における下流部４７のフレームをなす下流側フレーム４８とで構成されている。上流側フレーム４６は、前述した支持部材３１等によって動力装置１６の突出部３２に支持されるとともに、支持部材３３（図１参照）によって本体フレーム７に支持されている。また、上流側フレーム４６及び下流側フレーム４８における互いの対向端部の下部側には、ピン４９を介して連結されたブラケット５０，５１がそれぞれ取り付けられている。さらに、下流側フレーム４８の下部側には、支持部材５２が固定されており、この支持部材５２と上記動力装置１６の突出部３２には、油圧シリンダ５３の両端が回動可能に連結されている。これにより、油圧シリンダ５３の伸縮に伴って下流部４７が上流部４５に対して上下方向に回動する。
【００２８】
このとき、上流側フレーム４６及び下流側フレーム４８の側部には、それぞれブラケット５４，５５が取り付けられている。ブラケット５４には、ピン４９を中心とする円弧上に所定の間隔で複数のピン穴５６が穿設されている。この構成によって、下流側フレーム４８の回動角度に対応するピン穴５６に対し、ブラケット５５をピン５７で固定することにより、下流側フレーム４８が上流側フレーム４６に対して強固に固定される。
【００２９】
図１乃至図５に戻り、５９はサイドコンベア６０を積載するためのベースフレームである。このベースフレーム５９は、本体フレーム７の長手方向にスライド可能なように、取付フレーム９（下フレーム１０）との対向端部が、長手方向一方側から取付フレーム９（下フレーム１０）に間挿されている。６１はこのベースフレーム５９をスライドさせる油圧シリンダで、この油圧シリンダ６１の両端は、下フレーム１０及びベースフレーム５９の下部側にそれぞれ設けたブラケットに対し回動可能に連結されている。また、ベースフレーム５９の上部には、回転軸６２を支点に旋回可能な旋回フレーム６３が設けられている。
【００３０】
上記サイドコンベア６０は、篩装置１５に投入された被選別物のうち、篩装置１５の格子１７上を移動して機体の後方側に落下する所定粒度以上の選別物を機体の側方に搬送し排出するもので、その基端部は、本体フレーム７の長手方向一方側、厳密には旋回フレーム６３に取り付けられている。このサイドコンベア６０は、旋回フレーム６３に対してその幅方向一方側（図１では下側）の端部を支点に垂直方向に回動可能に支持された基端側の上流部６５と、この上流部６５に対し回動可能に連結された下流部６６とからなる。このとき、上記排出コンベア３０は、図２、図４、図５等に示すように、走行体１の幅方向中心から本体フレーム７の幅方向一方側にずらした位置に配設されており、例えば走行時や輸送時等には、サイドコンベア６０は、こうして排出コンベア３０をずらして創出した本体フレーム７の幅方向他方側の機体側部のスペースに、折り畳んで収容可能な構成となっている。図１乃至図５には、サイドコンベア３０を収容した状態を図示してある。
【００３１】
６７はサイドコンベア６０のベースで、このベース６７は、例えば図１等に示すように、旋回フレーム６３に対してピン６８により連結されている。６９はベース６７をピン６８を支点に回動させる油圧シリンダで、この油圧シリンダ６９の両端は、ベース６７と旋回フレーム６３に対し回動可能に連結されている。また、ベース６７には、サイドコンベア上流部６５のフレームをなす上流側フレーム７０が、例えば図２等に示すように、ベース６７に対してピン７１を介して回動可能に連結されている。
【００３２】
７２は下流部６６のフレームをなす下流側フレームである。図２等に示すように、上流側フレーム７０と下流側フレーム７２とは、それぞれに取り付けたブラケット７３，７４がピン７５を介して連結されることにより、互いに回動可能に連結されている。７６は下流側フレーム７２を上流側フレーム７０に対して回動させる油圧シリンダで、この油圧シリンダ７６の両端は、ベース６７及び下流側フレーム７２に対し回動可能に連結されている。
【００３３】
８０は下流側フレーム７２の下流端に設けた駆動輪、８１は上流側フレーム７０の上流端に設けた従動輪、８２はこれら駆動輪８０及び従動輪８１に掛け回したコンベアベルトである。８３は駆動輪８０に連結した駆動装置で、サイドコンベア６０を後述のように展開した後、駆動装置８３によって駆動輪８０を回転させることにより、駆動輪８０及び従動輪８１間でコンベアベルト８２が循環駆動するようになっている。なお、８４は循環駆動するコンベアベルト８２の搬送面を支持する複数の支持ローラ、８５はサイドコンベア６０を稼動状態としたときに、下流側フレーム７２を地面より支える脚である。また、特に図示していないが、サイドコンベア６０の従動輪８１側には、公知のベルト張り調整機構が設けられている。
【００３４】
図７は、サイドコンベア６０の展開手順を表した説明図である。
図７（ａ）の収容状態からサイドコンベア６０を展開する際には、まず、油圧シリンダ７６を伸長し、図７（ｂ）に示すように、サイドコンベア６０の下流部６６が上流部６５に対してほぼ直線状になるように、下流部６６を回動させる。次いで、油圧シリンダ６９を縮め、図７（ｃ）に示すように、サイドコンベア６０を幅方向一方側を支点にして回動させ水平状態とする。この状態としたら、油圧シリンダ７６をさらに伸長させ、図７（ｄ）に示すように、下流側に向かって上り傾斜となるようにサイドコンベア６０をベース６７に対して回動させ、稼動状態に転回する。そして、脚８５を引き出して、図７（ｄ）の状態でサイドコンベア６０が安定に固定されるように下流部６６を地面より支持する。
このようにしてサイドコンベア６０を展開した状態の本実施形態の自走式スクリーンの右側側面図、後側正面図を、それぞれ図１、図４に対応させて図８、図９に示した。なお、サイドコンベア６０を収容する場合は、図７に示した手順と逆の手順を行う。
【００３５】
また、前述したように、サイドコンベア６０は、旋回フレーム６３により支持されている。旋回フレーム６３は、ベースフレーム５９に対して旋回可能であるので、旋回フレーム６３を旋回させることにより、サイドコンベア６０が旋回可能な構成になっている。
【００３６】
図１０は、サイドコンベア６０の旋回手順を表した説明図である。
図１０（ａ）は、先の図７（ｃ）と同じ状態を表している。サイドコンベア６０を旋回させる場合には、まず、油圧シリンダ６１を伸長し、図１０（ｂ）に示すように、ベースフレーム５９を取付フレーム９に対して突出する方向にスライドさせ、サイドコンベア６０を旋回させるためのスペースを確保する。ベースフレーム５９を突出させたら、操作者は、サイドコンベア６０を押して、回転軸６２（図１等参照）を中心に旋回フレーム６３（図１等参照）を回転させ、図１０（ｃ）のように、図１０（ａ）とは逆方向を向くように、サイドコンベア６０を旋回させる。このとき、回転軸６２を回転駆動させる旋回装置を別途設け、人手によらず油圧駆動又は電動で旋回させるようにしても良い。ここまでの手順が終了したら、油圧シリンダ６１を縮めてベースフレーム５９を取付フレーム９側にスライドさせ、図１０（ｄ）に示したように、サイドコンベア６０を稼動位置にスライドさせる。この状態でサイドコンベア６０を稼動させる場合、図７（ｄ）で説明した手順を続けて行う。再び、図１０（ａ）の状態にサイドコンベア６０を戻す場合は、上記と逆の手順を行う。
【００３７】
次に、上記構成の本実施形態の自走式スクリーンの動作及び作用を説明する。
まず、図７（ａ）乃至図７（ｄ）で説明したようにサイドコンベア６０を展開し、図８及び図９に示した状態とした後、例えば、油圧ショベル等により篩装置１５に被選別物を投入すると、この篩装置１５の格子１７を通過した所定粒度以下の選別物が下方のホッパ２１へと導入される。ホッパ２１に受け入れられた選別物は、排出コンベア３０上に導かれ、この排出コンベア３０によって搬送され機外（例えば図８中の右側）に排出される。一方、篩装置１５の格子１７を通過しない所定粒度以上の選別物は、格子１７上を移動してサイドコンベア６０上に落下する。そして、サイドコンベア６０上に落下した選別物は、このサイドコンベア６０によって搬送され、機体の側方（この場合、図９中の左側）に排出される。
【００３８】
本実施形態によれば、排出コンベア３０を動力装置１６の上方を通して配置したことにより、従来のように動力装置１２の下方を通した場合に比して、選別物の排出高さを十分高くすることができる。
このとき、本体フレーム７の長手方向ほぼ中央位置の下部に設けた走行体１の長手方向寸法を、本体フレーム７の長手方向寸法に対して小さく形成しているので、本体フレーム７の長手方向両端部は走行体１に対して前後に張り出す形となる。そして、本体フレーム７の長手方向両端部分を走行体１に対して前後に張り出し、この張り出した両端部分に篩装置１５、動力装置１６が搭載されているため、篩装置１５及び動力装置１６間のスペースを十分に確保することができる。すなわち、一般に排出コンベア３０の傾斜角度は一定の範囲に限定されるが、動力装置１６が本体フレーム７の前方の張り出し部分（長手方向他方側）に搭載されているため、排出コンベア３０と動力装置１６との間に空間を創出することができるので、この空間の高さ分だけ排出コンベア３０の配置を下方にずらすことができ、単に動力装置１６の上方を通して排出コンベア３０を配設する場合に比べ、機体の重心及び高さを低下させることができる。これにより、公道での輸送制限高さをクリアし優れた輸送性を確保する上でも有利となり、しかも排出高さを向上させながらも十分な安定性を確保することができる。
一方、動力装置１６の配置を前方にずらした分、篩装置１５を本体フレーム７の後方の張り出し部分（長手方向一方側）に搭載したことにより、機体全体の重量をバランスさせることができ、しかも篩装置１５の配置高さも低くなるので、被選別物の投入性も向上する。また、機体全体の重量を十分にバランスさせることができるので、小型の走行体でも十分な安定性を確保することができる。したがって、走行体１をサイズダウンすることができ、これによっても、機体重心を低下させることができ、なおかつ製作コストを削減することが可能となる。
【００３９】
また、排出コンベア３０の下流部４７は、上流部４５に対して俯仰動するので、図１に示した状態から図８に示した状態まで段階的に排出高さを変化させることができ、作業に応じた排出高さを設定することができる。また、このように排出コンベア３０の下流部４７を俯仰動するように構成したので、図１１に示したように、より容量の小さなトレーラ等で本自走式スクリーンを輸送する際にも、排出コンベア３０の下流部４７をほぼ水平位置に折り曲げることによって、公道における輸送高さ制限Ｈを満足することができ優れた輸送性が確保される。
【００４０】
また、排出コンベア３０を動力装置１６の上方を通したことにより、排出コンベア３０の周囲空間が十分に確保されるので、排出コンベア３０のメンテナンスを容易に行うことができ、何等かの異物が排出コンベア３０に詰まった場合でも、異物の除去等も極めて容易にできる。
【００４１】
サイドコンベア６０を設けたことにより、複数の粒度の選別物を排出コンベア３０とともに搬送し、集積する又は他の機器に供給することができる。また、サイドコンベア６０は、折り畳んで機体の側部に収容可能であるため、トレーラ等で輸送する際の輸送制限を満足することができる。さらに、通常、サイドコンベアはオプションとして装備されるものであり、稼動現場にて組み立て、取り付けの作業を伴うのが一般的であったが、本実施形態においては、各油圧シリンダを伸縮操作するのみで、煩わしい組み立てや取り付けの作業を要さず容易に展開、収容が可能であるため、サイドコンベア６０を標準装備とし即作業に移行することができるので、作業効率を向上させることができ工期短縮にも寄与する。しかも、このサイドコンベア６０を旋回させることができるので、作業に応じて搬送物の排出位置を変更することができ、稼動現場でのレイアウト性も良い。
【００４２】
また、サイドコンベア６０を支持するベースフレーム５９をスライド可能に構成したことにより、篩装置１５の周囲（後方）に作業空間を創出することができるので、篩装置１５のメンテナンス性を向上させることができる。また、動力装置の下方を通して排出コンベアを配設する場合に比して排出コンベアの配置を高くすることができるので、排出コンベア３０の上流側の下部のメンテナンスをする上でも作業を行い易い。
【００４３】
また、走行体１を備え、自力走行可能な構成であるので、現場内で十分な機動性を発揮し、トレーラの荷台等にも自力で乗り降りすることができるので、搬入搬出時にクレーン等の吊り重機が不要である点も大きなメリットである。
【００４４】
図１２は、本発明の自走式スクリーンの他の実施形態の全体構造を表す右側側面図である。この図において、先の各図と同様の部分には先の各図と同符号を付し説明を省略する。
本実施形態は、前述した本発明の自走式スクリーンの一実施形態に、選別物を受け入れて篩装置１５に供給する供給装置９０を設けた実施形態である。
【００４５】
図１２において、供給装置９０は、選別物を受け入れて篩装置１５に導くシュート９１と、このシュート９１の傾斜角を調整する傾斜角調整手段９２とを備えている。
【００４６】
シュート９１は、上方に向かって拡開した有底の受け皿状の部材で、後方（図１２中の左側）が開放されており、篩装置１５に対し本体フレーム７の長手方向他方側でかつ排出コンベア３０の上方位置に設けられている。シュート９１の後端部は、例えば取付フレーム９上に組み上げた支持部材９３に対しピン９４を介して連結されており、ピン９４を支点に上下方向に回動可能な構成となっている。
【００４７】
一方、傾斜角調整手段９２は、上下方向に所定間隔で設けられた複数のピン穴９５を有する連結バー９６を備えている。この連結バー９６は、シュート９１の前端下部にピン９７を介して連結され、ピン９７を支点に前後方向に回動可能となっている。つまり、この傾斜角調整手段９７は、シュート９１を傾動させて角度を段階的に調整し、その状態で支持部材９３の前端に設けたブラケット９８に位置が対応するピン穴９５にピン９９を差し込むことにより、シュート９１を支持部材９３に対して固定するようになっている。
【００４８】
本実施形態においては、例えば油圧ショベル等といった投入重機で上記供給装置９０に被選別物を投入すると、投入された被選別物がシュート９１に案内されて篩装置１５に導入される。この際のシュート９１の傾斜角は、被選別物がシュート９１を円滑に滑動するように、被選別物に応じて、具体的には被選別物とシュート９１との間の摩擦力等に応じて適宜調整する。
その他の構成及び動作については、前述した本発明の自走式スクリーンの一実施形態と同様である。
【００４９】
本実施形態によっても、前述した本発明の自走式スクリーンの一実施形態と同様の効果を得ることは言うまでもないが、被選別物を一旦供給装置９０に受け入れてから篩装置１５に導入することにより、篩装置１５に被選別物を直接投入する場合に比し、篩装置１５の格子１７のダメージを軽減することができ、格子１７を長寿命化することができる。
【００５０】
図１３は、本発明の自走式スクリーンのさらに他の実施形態の全体構造を表す右側側面図である。この図において、先の各図と同様の部分には先の各図と同符号を付し説明を省略する。
本実施形態は、前述した本発明の自走式スクリーンの一実施形態に、排出コンベア３０上の選別物から磁性異物を除去する磁選機１００を設けた実施形態である。
【００５１】
図１３において、磁選機１００は、例えば取付フレーム９上に組み上げた支持アーム１０１に対して支持部材１０２を介して吊り下げ支持され、篩装置１５の本体フレーム７の長手方向他方側でかつ排出コンベア３０の上方位置に配置されている。また、その構成は、駆動輪（図示せず）と、従動輪（図示せず）と、これら駆動輪及び従動輪の間に、排出コンベア３０のコンベアベルト３８の上方にコンベアベルト３８とほぼ直交するように巻き回された磁選機ベルト１０３と、この磁選機ベルト１０３の内側に設けた磁力発生手段（図示せず）と、駆動輪に連結した駆動装置１０４とからなる。
【００５２】
上記構成により、磁選機１００は、駆動装置１０４によって駆動輪を回転駆動させ磁力発生手段まわりに磁選機ベルト１０３を循環駆動させることにより、磁力発生手段からの磁力を磁選機ベルト１０３越しに作用させて磁性異物を磁選機ベルト１０３に吸着させた後、磁選機ベルト１０３によってコンベアベルト１０３とほぼ直交方向に運搬して機体の側方に落下させるようになっている。
その他の構成及び動作については、前述した本発明の自走式スクリーンの一実施形態と同様である。
【００５３】
本実施形態によっても、前述した本発明の自走式スクリーンの一実施形態と同様の効果を得ることは言うまでもないが、排出コンベア３０上の選別物から磁性異物を除去することができるので、選別物の品質向上を図ることができる。
【００５４】
図１４は、本発明の自走式スクリーンのさらに他の実施形態の全体構造を表す右側側面図である。この図において、先の各図と同様の部分には先の各図と同符号を付し説明を省略する。
本実施形態は、前述した本発明の自走式スクリーンの一実施形態に、排出コンベア３０上の選別物を解砕する解砕装置１１０を設けた実施形態である。
【００５５】
図１４において、解砕装置１１０は、篩装置１５の本体フレーム７の長手方向他方側でかつ排出コンベア３０上の位置に設けられている。なお、本実施形態において、排出コンベア３０の搬送方向にタンデムに２つの解砕装置１１０を並べてあるが、１つ省略して解砕装置１１０を１つとしても良いし、３つ以上をタンデムに並べても構わない。
【００５６】
解砕装置１１０の構成について説明すると、この解砕装置１１０は、本体をなすブラケット１１１と、このブラケット１１１内に回転自在に支持された解砕ロータ１１２と、この解砕ロータ１１２を回転駆動させる駆動装置１１３とを備えている。ブラケット１１１は、排出コンベア３０の上流側フレーム４６上にボルト等で締結されている。解砕ロータ１１２は、回転方向（図中の反時計回り）と反対方向でかつ本体フレーム７の幅方向に先端が曲成された複数のカッタを回転軸に取り付けて構成され、その回転軌跡が排出コンベア３０のコンベアベルト３８に近接するように配置されている。解砕ロータ１１２の回転軸と駆動装置１１３の出力軸とはベルト等によって連結されている。
【００５７】
上記構成により、解砕装置１１０は、駆動装置１１３によって解砕ロータ１１２を回転させると、搬送コンベア３０上を搬送される選別物に対し解砕ロータ１１２によって後方側からすくい上げるようにして打撃を与え、選別物を解砕し細粒化するようになっている。
その他の構成及び動作については、前述した本発明の自走式スクリーンの一実施形態と同様である。
【００５８】
本実施形態によっても、前述した本発明の自走式スクリーンの一実施形態と同様の効果を得ることは言うまでもないが、排出コンベア３０上の選別物を細粒化することができるので、選別物の品質向上を図ることができるとともに、排出する選別物を所望の粒度に細粒化することで品質の幅を広げることもできる。
【００５９】
図１５は、本発明の自走式スクリーンのさらに他の実施形態の全体構造を表す右側側面図である。この図において、先の各図と同様の部分には先の各図と同符号を付し説明を省略する。
図１５に示したように、本実施形態は、前述した本発明の自走式スクリーンの一実施形態において、排出コンベア３０に、排出コンベア３０上の選別物の搬送量を検出する検出手段１２０を設けた実施形態である。この検出手段１２０は、例えば公知の構成のコンベアスケール等を用いれば足り、検出した単位時間当たりの搬送重量にコンベアベルト３８の搬送速度を乗算することにより選別物の排出重量を算出することができる。勿論、例えば超音波や光等によってコンベアベルト３８上の選別物の高さを検出する高さセンサを検出手段１２０として採用し、その検出結果にコンベアベルト３８の幅、若しくはホッパ２１の切出し口の幅等を乗算し、さらにコンベアベルト３８の搬送速度を乗算することにより選別物の排出体積を算出することができる。
その他の構成及び動作については、前述した本発明の自走式スクリーンの一実施形態と同様である。
【００６０】
本実施形態によっても、前述した本発明の自走式スクリーンの一実施形態と同様の効果を得ることは言うまでもないが、排出コンベア３０による選別物の搬送量を測定することができるので、リサイクル品を被選別物とした場合、排出した選別物の量を把握することができるので、即販売することができる。また、排出した選別物の量が把握できるため、例えばリサイクル原料又は途中生成物等を被選別物とした場合には、後段の工程におけるリサイクル品の品質向上にも寄与する。
【００６１】
図１６は、本発明の自走式スクリーンのさらに他の実施形態の全体構造を表す右側側面図である。この図において、先の各図と同様の部分には先の各図と同符号を付し説明を省略する。
図１６に示したように、本実施形態は、前述した本発明の自走式スクリーンの一実施形態において、篩装置１５の傾斜角度を調整する篩角度調整手段１３０を設けた実施形態である。
【００６２】
図１７は、本実施形態における篩装置１５周辺の詳細構造を表した右側側面図で、先の各図と同様の部分には先の各図と同符号が付してある。
図１７に示すように、篩装置１５の後端部を支持する上記支持部材１８は、取付フレーム９上のブラケット１３１に対しピン１３２を介して連結されており、これによりピン１３３を支点に、言い換えれば格子１７の目よりも大きな選別物を排出する側（サイドコンベア６０側）を支点に篩装置１５が上下方向に回動可能な構成となっている。
【００６３】
一方、上記篩角度調整手段１３０は、上下方向に所定間隔で設けられた複数のピン穴１３４を有する連結バー１３５を備えている。この連結バー１３５は、篩装置１５の後端部を支持する上記支持部材１８の代わりに設けられたもので、篩装置１５の前端側を弾性支持するばね１９の支持ブラケット１３６に対しピン１３７を介して連結され、ピン１３７を支点に前後方向に回動可能となっている。つまり、この篩角度調整手段１３０は、篩装置１５を傾動させて角度を段階的に調整し、その状態で取付フレーム９上のブラケット１３８に対し位置が対応するピン穴１３４にピン１３９を差し込むことにより、篩装置１５を取付フレーム９に対して固定するようになっている。
その他の構成及び動作については、前述した本発明の自走式スクリーンの一実施形態と同様である。
【００６４】
本実施形態によっても、前述した本発明の自走式スクリーンの一実施形態と同様の効果を得ることができる。加えて、本実施形態においては、例えば粒度や粘度、粒子形状等といった被選別物の状態に応じて、被選別物が篩装置１５の格子１７上を円滑に移動するように、篩装置１５の傾斜角を適宜調整することができるので、投入する被選別物の種類の幅をより広げることができる。
【００６５】
以上、図１２乃至図１７で説明した各実施形態のように、各種のオプション設備を搭載することで、本発明の自走式スクリーンはより多目的な多種多様の作業に対応することができ、その経済効果も大きい。また、例えばリサイクル品生産機や各実施形態で説明した各種自走式スクリーン等といった他の機械との組み合わせの幅も広がり、システム構築の自由度を拡大することができる。
【００６６】
なお、以上においては、いわゆる振動篩である篩装置１５を設けた例を説明したが、これに限定されない。例えば、篩装置１５として、固定式の篩や、いわゆるロータリスクリーン、ロールスクリーン等、篩装置には様々なタイプのものがあり、こうした振動篩以外の篩装置を篩装置１５として用いても構わない。また、履帯６を有する走行体１を備えた場合を例にとって説明したが、これにも限られず、例えばホイール式等の走行体１で走行手段を構成しても良い。これらの場合も同様の効果を得ることができる。
【図面の簡単な説明】
【００６７】
【図１】本発明の自走式スクリーンの一実施形態の全体構造を表す右側側面図である。
【図２】本発明の自走式スクリーンの一実施形態の全体構造を表す上面図である。
【図３】本発明の自走式スクリーンの一実施形態の全体構造を表す左側側面図である。
【図４】本発明の自走式スクリーンの一実施形態の全体構造を表す後側正面図である。
【図５】本発明の自走式スクリーンの一実施形態の全体構造を表す前側正面図である。
【図６】本発明の自走式スクリーンの一実施形態に備えられた排出コンベアの詳細構造を表す拡大側面図である。
【図７】本発明の自走式スクリーンの一実施形態に備えられたサイドコンベアの展開手順を表した説明図である。
【図８】本発明の自走式スクリーンの一実施形態においてサイドコンベアを展開した状態の右側側面図である。
【図９】本発明の自走式スクリーンの一実施形態においてサイドコンベアを展開した状態の後側正面図である。
【図１０】本発明の自走式スクリーンの一実施形態に備えられたサイドコンベアの旋回手順を表した説明図である。
【図１１】本発明の自走式スクリーンの一実施の形態をトレーラに積載した状態を表す側面図である。
【図１２】本発明の自走式スクリーンの他の実施形態の全体構造を表す右側側面図である。
【図１３】本発明の自走式スクリーンのさらに他の実施形態の全体構造を表す右側側面図である。
【図１４】本発明の自走式スクリーンのさらに他の実施形態の全体構造を表す右側側面図である。
【図１５】本発明の自走式スクリーンのさらに他の実施形態の全体構造を表す右側側面図である。
【図１６】本発明の自走式スクリーンのさらに他の実施形態の全体構造を表す右側側面図である。
【図１７】本発明の自走式スクリーンのさらに他の実施形態に備えられた篩装置周辺の詳細構造を表した右側側面図である。
【符号の説明】
【００６８】
１      走行体（走行手段）
７      本体フレーム
１５    篩装置
１６    動力装置
３０    排出コンベア
６０    サイドコンベア
６５    上流部
６６    下流部
９０    供給装置（供給手段）
１００  磁選機
１１０  解砕装置
１２０  検出手段
１３０  篩角度調整手段
【図１】
2005296893.tif 000003
【図２】
2005296893.tif 000004
【図３】
2005296893.tif 000005
【図４】
2005296893.tif 000006
【図５】
2005296893.tif 000007
【図６】
2005296893.tif 000008
【図７】
2005296893.tif 000009
【図８】
2005296893.tif 000010
【図９】
2005296893.tif 000011
【図１０】
2005296893.tif 000012
【図１１】
2005296893.tif 000013
【図１２】
2005296893.tif 000014
【図１３】
2005296893.tif 000015
【図１４】
2005296893.tif 000016
【図１５】
2005296893.tif 000017
【図１６】
2005296893.tif 000018
【図１７】
2005296893.tif 000019